(57)【要約】      （修正有）【課題】キャスティング時に錘が保持部から離れ、且つ、着水後の遊泳時に吸着された錘が保持部から離れ難く、さらに、製造容易な重心移動式のルアーを提供する。【解決手段】ルアー１Ａは、ボディ２と、ボディ２内に設けられた錘移動空間３と、錘移動空間３内に移動可能に収容された錘５Ａと、錘移動空間の一方側に設けられ且つ錘５Ａを吸着する保持部６Ａと、を有し、錘５Ａが、タングステン合金の磁性体から形成され、保持部６Ａが、残留磁束密度２００〜４２０ｍＴ、保磁力２２０〜３００Ａ／ｍの磁石から形成されている。【選択図】図２
0003202084.tif 000002
【実用新案登録請求の範囲】
【請求項１】
ボディと、前記ボディ内に設けられた錘移動空間と、前記錘移動空間内に移動可能に収容された錘と、前記錘移動空間の一方側に設けられ且つ前記錘を吸着する保持部と、を有し、
前記錘が、タングステン合金の磁性体から形成された錘を含み、
前記保持部が、残留磁束密度２００〜４２０ｍＴ、保磁力２２０〜３００Ａ／ｍの磁石から形成されている、ルアー。
【請求項２】
ボディと、前記ボディ内に設けられた錘移動空間と、前記錘移動空間内に移動可能に収容された錘と、前記錘移動空間の一方側に設けられ且つ前記錘を吸着する保持部と、を有し、
前記保持部が、磁性体から形成され、
前記錘が、タングステン合金の磁石から形成された錘を含み、前記タングステン合金の磁石が、残留磁束密度２００〜４２０ｍＴ、保磁力２２０〜３００Ａ／ｍである、ルアー。
【請求項３】
前記錘移動空間内に、独立した複数の錘が収容されており、
前記複数の錘のうちの少なくとも１つの錘が、前記タングステン合金からなる、請求項１または２に記載のルアー。
【請求項４】
前記錘移動空間が、ボディの前後方向に延在されており、
前記保持部が、前記錘移動空間を仕切る仕切壁の前端壁に設けられている、請求項１乃至３のいずれか一項に記載のルアー。
【請求項５】
前記錘移動空間が、ボディの前後方向に延在されており、
前記保持部が、前記錘移動空間を仕切る仕切壁の周壁前方部に設けられている、請求項１乃至３のいずれか一項に記載のルアー。
【請求項６】
前記錘移動空間内に、独立した複数の錘が収容されており、
前記複数の錘のうち、錘移動空間の最も前方側に位置する錘が、前記タングステン合金からなり、且つ、残る錘が、磁性体からなる、請求項４に記載のルアー。
【請求項７】
前記錘移動空間内に、独立した複数の錘が収容されており、
前記複数の錘のうち、錘移動空間の最も後方側に位置する錘が、前記タングステン合金からなり、且つ、残る錘が、非磁性体からなる、請求項５に記載のルアー。
【考案の詳細な説明】
【技術分野】
【０００１】
本発明は、錘（おもり）の移動によって重心が変化する魚釣り用のルアーに関する。
【背景技術】
【０００２】
従来、錘の移動によって重心を変化させることができるルアーが知られている（特許文献１）。
この特許文献１のルアーは、鋼球からなる錘を使用すると錘の体積を増やさざるを得ないという点に鑑みて、重心移動のための錘が、磁石に引き付けられる磁性を示す第１の物質（鉄など）で形成された外周部と、前記第１の物質より比重が大きく且つ磁石に引き付けられない第２の物質で形成された内部と、から形成されている。【０００３】
しかしながら、かかるルアーは、錘の比重が大きくなるので、錘が磁石から簡単に外れてしまうという問題点がある。
具体的には、重心移動式のルアーは、キャスティング時に磁石から離れていた錘が、着水後に磁石に吸着されることによってルアーの前方側に重心が移動し、ルアーを引き寄せることにより小魚に似せた遊泳が可能となる。しかしながら、上記ルアーは、錘が重いので、ルアーを引いた際に、錘が磁石から不用意に離れてしまって重心が後方側に移動し、望ましい遊泳ができない場合がある。
さらに、上記ルアーの錘は、第１の物質で形成された外周部の内側に第２の物質で形成された内部を一体化して製造するが、別々の部分を一体化して製造することが煩雑であるという問題点もある。
【先行技術文献】
【特許文献】
【０００４】
【特許文献１】特開平１１−１１３４４９号
【考案の概要】
【考案が解決しようとする課題】
【０００５】
本発明の課題は、キャスティング時に錘が保持部から離れ、且つ、着水後の遊泳時に吸着された錘が保持部から離れ難く、さらに、製造容易な重心移動式のルアーを提供することである。
【課題を解決するための手段】
【０００６】
本発明の第１のルアーは、ボディと、前記ボディ内に設けられた錘移動空間と、前記錘移動空間内に移動可能に収容された錘と、前記錘移動空間の一方側に設けられ且つ前記錘を吸着する保持部と、を有し、前記錘が、タングステン合金の磁性体から形成された錘を含み、前記保持部が、残留磁束密度２００〜４２０ｍＴ、保磁力２２０〜３００Ａ／ｍの磁石から形成されている。【０００７】
本発明の第２のルアーは、ボディと、前記ボディ内に設けられた錘移動空間と、前記錘移動空間内に移動可能に収容された錘と、前記錘移動空間の一方側に設けられ且つ前記錘を吸着する保持部と、を有し、前記保持部が、磁性体から形成され、前記錘が、タングステン合金の磁石から形成された錘を含み、前記タングステン合金の磁石が、残留磁束密度２００〜４２０ｍＴ、保磁力２２０〜３００Ａ／ｍである。【０００８】
本発明の好ましいルアーは、前記錘移動空間内に、独立した複数の錘が収容されており、前記複数の錘のうちの少なくとも１つの錘が、前記タングステン合金からなる。【０００９】
本発明の好ましいルアーは、前記錘移動空間が、ボディの前後方向に延在されており、前記保持部が、前記錘移動空間を仕切る仕切壁の前端壁に設けられている。【００１０】
本発明の好ましいルアーは、前記錘移動空間が、ボディの前後方向に延在されており、前記保持部が、前記錘移動空間を仕切る仕切壁の周壁前方部に設けられている。【００１１】
本発明の好ましいルアーは、前記錘移動空間内に、独立した複数の錘が収容されており、前記複数の錘のうち、錘移動空間の最も前方側に位置する錘が、前記タングステン合金からなり、且つ、残る錘が、磁性体からなる。【００１２】
本発明の好ましいルアーは、前記錘移動空間内に、独立した複数の錘が収容されており、前記複数の錘のうち、錘移動空間の最も後方側に位置する錘が、前記タングステン合金からなり、且つ、残る錘が、非磁性体からなる。
【考案の効果】
【００１３】
本発明のルアーは、キャスティング時に錘が保持部から離れ、且つ、着水後の遊泳時に吸着された錘が保持部から離れ難い。かかる本発明のルアーを使用すれば、良好な釣果を期待できる。
また、本発明のルアーの錘は、タングステン合金という１つの物質を用いて形成されているので、ルアーを容易に製造することができる。
【図面の簡単な説明】
【００１４】
【図１】本発明の第１実施形態に係るルアーの側面図。
【図２】図１のルアーの断面図。
【図３】本発明の第２実施形態に係るルアーの断面図。
【図４】本発明の第３実施形態に係るルアーの断面図。
【図５】本発明の第３実施形態の変形例に係るルアーの断面図。
【図６】本発明の第４実施形態に係るルアーの断面図。
【図７】衝撃吸収部の拡大斜視図。
【図８】錘が後方に移動した状態のルアーの断面図。
【考案を実施するための形態】
【００１５】
［第１実施形態に係るルアー］
図１は、本発明のルアーの側面図であり、図２は、図１のルアーを前方から見て縦に切断した断面図である。
図１及び図２において、ルアー１Ａは、ボディ２と、前記ボディ２の内部に設けられた錘移動空間３と、前記錘移動空間３内に収容された錘５Ａと、前記錘移動空間３の一方側に設けられた保持部６Ａと、を有する。
以下、各構成ごとに分けながら、本発明のルアーの詳細を説明する。
【００１６】
（ボディ及び錘移動空間）
図示したボディ２においては、その外形が小魚を真似た形状とされている。もっとも、ボディ２の外形は、小魚に似た形状に限られず、様々な形状に変更してもよい。
さらに、ボディ２の外面に、無数の小さな窪み（ディンプル）が形成されていてもよい（図示せず）。ボディ２の表面が無数の小さな窪みを有することにより、ルアー１Ａを投げたときに、ルアー１Ａが空気抵抗を受け難くなる。従って、より遠くに投げることができるルアー１Ａを提供できる。
【００１７】
ボディ２は、それ自体、水（淡水及び海水を含む）に浮く部材である。
ボディ２の比重は、１未満であれば特に限定されないが、好ましくは０．９以下であり、より好ましくは０．８以下であり、特に好ましくは０．６以下である。前記ボディ２は、非磁性材料で形成されている。
ここで、本明細書において、非磁性材料は、それ自身磁性を帯びておらず且つ磁石を近づけても磁性を帯びない材料（つまり、磁石に付かない材料）をいう。磁石は、外部から磁場や電流の供給を受けずに磁界を有する材料（磁性材料を引き付ける性質を有する材料）をいう。
【００１８】
ボディ２の材質は、特に限定されず、例えば、ＡＢＳ樹脂などの硬質合成樹脂、ウレタンなどの軟質合成樹脂、発泡ウレタンなどの発泡合成樹脂、木、及び２以上の素材を組み合わせた複合材料などが挙げられる。
ボディ２は、中空状の錘移動空間３が内部に形成されていることを条件として、その錘移動空間３を除いた領域が中空状であってもよいし、中実状であってもよい。図示例のボディ２は、ボディ２の表面を構成する中空状の外壁２１と、その中空状の外壁２１の内部に、中空状の錘移動空間３を仕切るための仕切壁２２と、から形成されている。仕切壁２２の内面で囲われた範囲が、錘移動空間３である。
【００１９】
前記ボディ２の内部に形成された錘移動空間３は、例えば、１つの方向が他の方向（他の方向は前記１つの方向と直交する方向である）よりも長く延びた空間である。錘移動空間３は、ボディ２の何れの方向に延在されていてもよい。好ましくは、前記錘移動空間３の延びる方向（錘移動空間３の長軸方向）は、ボディ２の前後方向であり、より好ましくは、前記錘移動空間３は、ボディ２の前後方向に延びる細長い筒状の空間である。錘移動空間３は、通常、直線状に形成されるが、錘５Ａの移動を阻害しないことを条件として、錘移動空間３は、非直線状（例えば、蛇行、屈曲など）でもよい。
錘移動空間３内に収容された錘５Ａが錘移動空間３の長軸方向（図示例では、前後方向）に移動できることを条件にして、錘移動空間３の筒形状は、特に限定されない。本実施形態では、仕切壁２２が、四角筒状に形成されており、好ましくは、底面を略正方形とする四角筒状に形成されている。もっとも、仕切壁２２は、円筒状又は楕円筒状などに形成されていてもよい。
【００２０】
また、必要に応じて、前記仕切壁２２の内面に、凸状又は凹状のレールを設けてもよい（図示せず）。前記レールは、通常、錘移動空間３の長軸方向と平行な方向に延設される。
前記ボディ２は、通常、複数の成形体からなる。例えば、ボディ２は、左右対称一対の半割成形体を接合することによって形成されている。
なお、ボディ２の前端には、ライン（釣り糸）を締結するための環状のライン連結部９１が突出されている。
ボディ２の後端には、釣り針を係止するための環状の釣り針連結部９２が突出されている。ボディ２の腹部略中央部にも、同様の環状の釣り針連結部９３が突出されている。フック状の釣り針８２，８３（例えばトレブルフックなど）が、前記釣り針連結部９２，９３にそれぞれ係止されている。
ボディ２の前下方部には、水流抵抗板９４が突出されている。この水流抵抗板９４は、ボディ２から一体的に突出されている。水流抵抗板９４は、ルアー１Ａを揺れ動かす機能を有する。つまり、水中でルアー１Ａを引っ張ったときに水流抵抗板９４に水流が当たることによって、ルアー１Ａが揺れ動く。
【００２１】
（錘及び保持部）
錘５Ａは、錘移動空間３内に移動自在に収容されている。上述のように、錘移動空間３は、ボディ２の前後方向に延びる細長い筒状である。錘５Ａは、この錘移動空間３の前後方向に移動可能である。
錘５Ａの形状は、錘移動空間３を転動又は摺動できる形状であれば特に限定されず、例えば、図示したような、球状、その他、図示しないが、円柱状などが挙げられる。
前記錘５Ａは、１つの錘移動空間３内に、１つだけ収容されていてもよい。また、図示したように、３つの錘５１Ａ，５２Ａ，５３Ａが収容されていてもよい。なお、錘移動空間３内に複数の錘５Ａが入れられる場合、図示したように、錘５Ａは、３つに限られず、２つでもよいし、４つ以上であってもよい。なお、複数の錘５Ａは、それぞれ独立している。
【００２２】
本実施形態では、前記錘５Ａは、タングステン合金の磁性体から形成された錘を含んでいる。前記のように錘５Ａが錘移動空間３に１つ入れられている場合には、その錘５Ａがタングステン合金の磁性体から形成される。
錘５Ａが錘移動空間３に複数個入れられている場合には、そのうち少なくとも１つの錘５Ａがタングステン合金の磁性体から形成され、好ましくは、少なくとも最も前方側の錘５１Ａがタングステン合金の磁性体から形成され、より好ましくは、複数の全ての錘５Ａがタングステン合金の磁性体から形成される。
錘５Ａが錘移動空間３に複数個入れられている場合において、全ての錘５Ａがタングステン合金の磁性体から形成されていてもよいし、その複数のうちの１つ又は２つ以上の錘５Ａがタングステン合金の磁性体から形成され且つ残る錘５Ａが他の物質の磁性体から形成されていてもよい。前記他の物質の磁性体としては、室温で強磁性を示す金属、例えば、鉄、ニッケル、コバルトなどの鉄族金属；鉄族金属を含む合金；及び鉄族金属の酸化物などからなる磁性体が挙げられる。
【００２３】
前記タングステン合金の磁性体は、タングステンと、ニッケル、鉄及び銅から選ばれる少なくとも１種と、からなる合金の磁性体であり、主成分であるタングステンを７０質量％以上含み、好ましくは８０重量％以上含んでいる。タングステンの上限は、特に限定されないが、例えば、９０重量％以下である。前記ニッケル、鉄及び銅から選ばれる少なくとも１種は、１０重量％を超え３０重量％未満配合される。なお、磁性体の機能を損なわない範囲で、タングステン、ニッケル、鉄及び銅以外の他の成分が若干量含まれていてもよい。
前記磁性体は、タングステンと、ニッケル、鉄及び銅から選ばれる少なくとも１種とを所要量配合し、これを十分に混合した後、錘の形状（例えば、球状）に圧縮成形し、その合金の融点以下の高温で焼結することにより得られる。その成形焼結体の表面を研磨することにより、タングステン合金の磁性体からなる錘を得ることができる。
【００２４】
前記タングステン合金の磁性体からなる錘５Ａの比重は、適宜設定できるが、例えば、その比重は１２〜２０であり、好ましくは１３〜１６である。このような比重の錘５Ａは、比較的小さくても重く、ルアー全体を小型化させることができる。特に、複数の錘５Ａの全てをタングステン合金の磁性体から形成することにより、より小型のルアー１Ａを提供できる。
なお、前記他の物質の磁性体からなる錘５Ａの比重についても適宜設定できるが、例えば、その比重は６〜１２であり、好ましくは７〜１０である。
前記錘５Ａの直径（大きさ）は、特に限定さないが、通常、２ｍｍ〜１５ｍｍ程度であり、好ましくは、３ｍｍ〜１０ｍｍ程度である。
本明細書において、「ＸＸＸ〜ＹＹＹ］という記載は、「ＸＸＸ以上ＹＹＹ以下」を意味する。
【００２５】
保持部６Ａは、錘移動空間３の一方側に設けられている。
本実施形態では、保持部６Ａは、図２に示すように、錘移動空間３の前端壁に設けられている。なお、錘移動空間３を形成する仕切壁２２の前端壁には、保持部６Ａを収納するための収納凹部が形成されている。前記保持部６Ａは、錘移動空間３に露出した状態で収納凹部に埋め込まれて固定されている。
前記保持部６Ａは、錘５Ａを吸着し、錘移動空間３の一方側（前方側）に錘５Ａを保持する部分である。錘５Ａが磁性体から形成されている本実施形態においては、保持部６Ａは、磁石（永久磁石）から形成されている。磁石としては、例えば、フェライト磁石、磁石鋼、樹脂磁石、ゴム磁石などが挙げられる。前記樹脂磁石は、金属などが混合された樹脂を成形することにより得られる磁石であり、前記ゴム磁石は、金属などが混合されたゴムを成形することにより得られる磁石である。前記保持部６Ａがゴム磁石からなる場合、保持部６Ａに錘５Ａが当たったときの衝撃及び衝撃音を緩和できる。
保持部６Ａの形状は、特に限定されず、例えば、その形状としては所定厚みの板状などが挙げられる。
【００２６】
前記保持部６Ａを構成する磁石は、その残留磁束密度が２００〜４２０ｍＴで且つその保磁力が２２０〜３００Ａ／ｍのものが用いられ、好ましくは、残留磁束密度が２０５〜４００ｍＴで且つその保磁力が２３０〜２８５Ａ／ｍのものが用いられる。
前記残留磁束密度及び保磁力は、ガウスメーター（株式会社エーデーエス製、品番：ＭＯＤＥＬ  ＨＧＭ−８９００Ｓ）を用いて測定できる。
【００２７】
（ルアーの使用例）
上記ルアー１Ａは、ライン連結部９１にラインを結んで使用される。ルアー１Ａを投げたときには、慣性によって錘５Ａが錘移動空間３の後方側に移動する。従って、ルアー１Ａの重心が後方寄りとなり、ルアー１Ａの後方部を先頭にしてルアー１Ａを遠くに飛ばすことができる。特に、タングステン合金は比重が大きいので、錘がタングステン合金の磁石からなる本実施形態のルアー１Ａは、より遠くに飛ばすことができる。
一方、ルアー１Ａが着水したときには、錘５Ａがボディ２の前方側に移動し、錘５Ａが保持部６Ａに吸着されてボディ２の前方側に保持される（図２参照）。このように錘５Ａが保持部６Ａに保持されることによって、ルアー１Ａの重心が前方側に移動する。この状態のルアー１Ａを前記ラインを引き寄せることによって引っ張ると、後方部を左右に揺りながらルアー１Ａが遊泳する。
なお、複数の錘５Ａが収容されている場合、前方の錘５Ａが磁力によって保持部６Ａに吸着され、後方の錘５Ａは磁力を通じて前方の錘５Ａに付着する。すなわち、保持部６Ａに吸着された前方の錘５Ａを介して保持部６Ａの磁力が後方の錘５Ａに作用することによって、複数の錘５Ａが前後に並んで保持部６Ａに保持される。
【００２８】
本発明のルアー１Ａの保持部６Ａは、残留磁束密度が２００〜４２０ｍＴで且つその保磁力が２２０〜３００Ａ／ｍの磁石から形成されている。かかる残留磁束密度及び保磁力の磁石は、比較的比重の大きいタングステン合金からなる錘５Ａを十分に吸着できる。このため、着水後の遊泳時に、吸着された錘５Ａが保持部６Ａから不用意に離れることを防止できる。他方、キャスティング時には、強い遠心力が働くため、錘５Ａが保持部６Ａから離れて後方側に移動するので、ルアー１Ａを遠くへ飛ばすことができる。かかるルアー１Ａを使用すれば、良好な釣果を期待できる。
さらに、上述のようにキャスティング時には、強い遠心力が錘に作用するので、保持部の磁力が極めて強くても、キャスティング時に錘が保持部から離れるが、磁力が強過ぎると、ボディの腹部に取り付けた釣り針が、前記保持部の磁力に引き付けられてボディに引っ付くおそれがある。この点、前記範囲の残留磁束密度及び保磁力の場合、釣り針８３がボディに引っ付くことを防止できる。なお、ルアー１Ａを軽くキャスティングしたときでも、錘５Ａが保持部６Ａから外れ易いので、ルアー１Ａを近距離のポイントに確実に投げ込むことができる。
また、上記ルアー１Ａの錘５Ａは、タングステン合金という１つの物質を用いて形成できるので、従来のルアーに比して、錘５Ａを容易に製造できる。このため、本発明のルアー１Ａは、容易に製造することができる。
【００２９】
［第２実施形態に係るルアー］
第２実施形態のルアーは、保持部が磁性体から形成され、錘がタングステン合金の磁石から形成された錘を含んでいる点で上記第１実施形態と異なる。
以下、第２実施形態について説明するが、上記第１実施形態と同様の構成及び効果は、（それを説明したものとみなして）その説明を省略し、用語及び符号を適宜援用する。
【００３０】
第２実施形態のルアーも、１つの錘移動空間に複数個の錘が収容されていてもよいが、図３では、錘移動空間３に１つの錘５Ｂが入れられているルアー１Ｂを例示している。
この錘５Ｂは、タングステン合金の磁石から形成されている。
錘５Ｂを構成するタングステン合金の磁石は、残留磁束密度が２００〜４２０ｍＴで且つその保磁力が２２０〜３００Ａ／ｍのものが用いられ、好ましくは、残留磁束密度が２０５〜４００ｍＴで且つその保磁力が２３０〜２８５Ａ／ｍのものが用いられる。
【００３１】
タングステン合金の磁石は、タングステンと、酸化鉄と、からなる合金の磁石であり、主成分であるタングステンを７０質量％以上含み、好ましくは８０重量％以上含んでいる。タングステンの上限は、特に限定されないが、例えば、９０重量％以下である。他方、酸化鉄は、１０重量％を超え３０重量％未満配合される。なお、磁石機能を損なわない範囲で、タングステン及び酸化鉄以外の他の成分が若干量含まれていてもよい。
前記タングステン合金の磁石は、タングステンと酸化鉄とを所要量配合し、これを十分に混合した後、錘の形状（例えば、球状）に圧縮成形し、その合金の融点以下の高温で焼結した後、その成形焼結体の表面を研磨する。そして、その成形焼結体を着磁することにより、タングステン合金の磁石からなる錘を得ることができる。
【００３２】
他方、保持部６Ｂは、磁性体から形成されている。前記磁性体としては、室温で強磁性を示す金属、例えば、鉄、ニッケル、コバルトなどの鉄族金属；鉄族金属を含む合金；及び鉄族金属の酸化物などが挙げられる。
第２実施形態のルアー１Ｂも、上記第１実施形態と同様に使用でき、同様の効果を奏する。
【００３３】
［第３実施形態に係るルアー］
第３実施形態のルアーは、保持部が仕切壁の周壁前方部に形成されている点で上記第１及び第２実施形態と異なる。
以下、第３実施形態について説明するが、上記第１及び第２実施形態と同様の構成及び効果は、（それを説明したものとみなして）その説明を省略し、用語及び符号を適宜援用する。
【００３４】
図４において、第３実施形態のルアー１Ｃは、保持部６Ｃが錘移動空間３の周壁前方部の下部に設けられている。錘移動空間３を形成する仕切壁２２の周壁前方部の下部には、保持部６Ｃを収納するための収納凹部が形成されており、その収納凹部に保持部６Ｃが固定されている。なお、仕切壁２２の下壁は、ボディ２の外壁２１と兼用されている。
前記保持部６Ｃは、第１実施形態の磁石から形成されていてもよいし、第２実施形態の磁性体から形成されていてもよい。
【００３５】
（保持部が磁石から形成されている場合）
第３実施形態の保持部６Ｃが磁石で形成されている場合、その磁石は、上記第１実施形態と同様な残留磁束密度及び保磁力のものが用いられる。
また、錘５Ｃは、錘移動空間３に１つ収容されていてもよいし、複数収容されていてもよい。複数の錘５Ｃを収容する場合（例えば、図示したように、３つの錘５１Ｃ，５２Ｃ，５３Ｃを収容した場合）、最も後方側に位置する錘５３Ｃが、タングステン合金の磁性体から形成され、且つ、残る錘５１Ｃ，５２Ｃは、全て非磁性体から形成されていることが好ましい。
前方側の錘５１Ｃが磁性体であると、最も後方側の錘５３Ｃが保持部６Ｃに直接吸着されないことがある。換言すると、最も前方側の錘５１Ｃが、（錘移動空間３の前端にまで移動しないうちに）仕切壁２２の周壁に設けられた保持部６Ｃに吸着されることがある。この場合、ルアー１Ｃの重心が中央部寄りになる。最も後方側の錘５３Ｃを磁性体とし、且つ、その他の錘５１Ｃ，５２Ｃを非磁性体とすることにより、図４に示すように、最も前方側の錘５１Ｃが錘移動空間３の前端に位置した状態で全ての錘５１Ｃ，５２Ｃ，５３Ｃを保持できるようになる。
【００３６】
（保持部が磁性体から形成されている場合）
第３実施形態の保持部６Ｃが磁性体で形成されている場合、錘５Ｃがタングステン合金の磁石から形成される。その磁石は、上記第２実施形態と同様なタングステン合金の磁石が用いられる。
また、錘５Ｃが、錘移動空間３に複数収容されている場合（例えば、図４に示すように、３つの錘５１Ｃ，５２Ｃ，５３Ｃを収容した場合）、最も後方側に位置する錘５３Ｃが、タングステン合金の磁石から形成され、且つ、残る錘５１Ｃ，５２Ｃは、全て非磁性体から形成される、或いは、残る錘５Ｃのうち前記磁石からなる錘５３Ｃに隣接する錘５２Ｃが非磁性体から形成され且つ前記磁石からなる錘５３Ｃに隣接しない錘５１Ｃが磁性体から形成されることが好ましい。
図示例では、最も前方部の錘５１Ｃが、タングステン合金の磁性体又は他の物質の磁性体から形成され、中間の錘５２Ｃが、非磁性体から形成され、最も後方部の錘５３Ｃがタングステン合金の磁石から形成される。
このように構成することにより、図４に示すように、最も前方側の錘５３Ｃが錘移動空間３の前端に位置した状態で全ての錘５１Ｃ，５２Ｃ，５３Ｃを保持できるようになる。
【００３７】
なお、第３実施形態において、保持部６Ｃは、仕切壁２２の周壁前方部の下部に設けられているが、例えば、図５に示すように、保持部６Ｃが、仕切壁２２の周壁前方部の周囲全体に設けられていてもよい。例えば、保持部６Ｃを短いパイプ状に形成し、この保持部６Ｃを仕切壁２２の周壁前方部の収納凹部に埋め込むことにより、図５に示すルアー１Ｃが得られる。
【００３８】
［第４実施形態に係るルアー］
第４実施形態のルアーは、錘移動空間の後端に衝撃吸収部が設けられている点で上記第１乃至第３実施形態と異なる。
以下、第４実施形態について説明するが、上記第１乃至第３実施形態と同様の構成及び効果は、（それを説明したものとみなして）その説明を省略し、用語及び符号を適宜援用する。
【００３９】
図６において、第４実施形態のルアー１Ｄは、錘移動空間３の後端に衝撃吸収部７が設けられている。なお、第４実施形態のルアー１Ｄの基本構成は、便宜上、第１実施形態のルアーの基本構成を図示している。
具体的には、錘移動空間３を形成する仕切壁２２の後端壁には、孔２２ａが形成されている。衝撃吸収部７の一部が前記孔２２ａから錘移動空間３に突出するようにして、衝撃吸収部７はボディ２に固定されている。衝撃吸収部７は、図７にも示すように、肉厚のある筒状に形成されている。この衝撃吸収部７の中心穴７１を、ボディ２の内面から突設された固定軸部２３に嵌め入れることによって、衝撃吸収部７がボディ２に固定されている。衝撃吸収部７の形成材料は、特に限定されず、ゴム、エラストマーなどの軟質樹脂、発泡樹脂などが挙げられる。
【００４０】
本実施形態のルアー１Ｄも、上記第１実施形態と同様に使用でき、同様の効果を奏する。さらに、ルアーのキャスティング時に錘５Ａが錘移動空間３の後方側に移動した際、図８に示すように、その錘５Ａが衝撃吸収部７に当たる。このため、本実施形態のルアー１Ｄは、前記錘５Ａが当たった際の衝撃が直接ボディ２に伝わり難く、仕切壁２２の後端壁を含むボディ２が壊れ難くなる。特に、錘５Ａがタングステン合金からなる場合、（タングステン合金は比重が大きいので）ボディ２に大きな衝撃が加わるところ、本実施形態のように衝撃吸収部７を設けることにより、ボディ２が損壊し難くなる。
【符号の説明】
【００４１】
１Ａ，１Ｂ，１Ｃ，１Ｄ  ルアー
２  ボディ
３  錘移動空間
５Ａ，５Ｂ，５Ｃ  錘
６Ａ，６Ｂ，６Ｃ  保持部
【図１】
0003202084.tif 000003
【図２】
0003202084.tif 000004
【図３】
0003202084.tif 000005
【図４】
0003202084.tif 000006
【図５】
0003202084.tif 000007
【図６】
0003202084.tif 000008
【図７】
0003202084.tif 000009
【図８】
0003202084.tif 000010